(57)【要約】      （修正有）【課題】滑り止め機能付き伸縮性細幅ラッセルレースのパイルの向きを適正な向きに配設して下腹部、臀部および大腿部をシェイプアップするロングガードルを提供する。【解決手段】ポリウレタン系弾性糸の編物からなるロングガードル１の後部１ｂの臀部４にＵ字状のラッセルレース５を配設し、ループ状のパイルの向きをＵ字状の中心部６に向け、係合力により後部１ｂの左右および尾骨部７の下部を臀部４の外側への拡大を阻止する。さらに前部の下腹部の両サイドから左右の大腿部９の間のマチ布の下部の内股にかけてラッセルレース１０を配設しパイルの向きを腰部２の方向に向けて係合状態とする。また、大腿部９から配設のラッセルレース１２のパイルの向きを上方に向けて係合状態とし、それらの係合力によりラッセルレース１２より上部の筋肉を上方へ持ち上げて下腹部、臀部４、大腿部９を上方へシェイプアップする。【選択図】図２
0003171827.tif 000002
【実用新案登録請求の範囲】
【請求項１】
伸縮性のポリウレタン系の弾性糸の編物からなるロングガードル（１）の後部（１ｂ）の内面の臀部（４）の周囲に、腰部（２）の両サイドから中心の尾骨部（７）にかけて複数のループ状のパイル（１６）を有する滑り止め機能付き伸縮性細幅ラッセルレース（１５）からなるＵ字状のラッセルレース（５）を配設し、該Ｕ字状のラッセルレース（５）から突出する複数のループ状のパイル（１６）の傾斜方向の向きをＵ字状のラッセルレース（５）の臀部（４）の中心部（６）に向けて係合状態とし、該ループ状のパイル（１６）の係合力により、該Ｕ字状のラッセルレース（５）で取り囲まれた臀部（４）が常に中心部（６）から外側へ拡大することを阻止し、さらにロングガードル（１）の前部（１ａ）の内面の股上の部分である下腹部（３）のＡ部の両サイドの縫い代部（１３）から側部を経て後部（１ｂ）の臀部（４）のＢ部の下部のマチ布（８）の両側直下の大腿部（９）の上部の縫い代部（１３）に、複数のループ状のパイル（１６）を有する滑り止め機能付き伸縮性細幅ラッセルレース（１５）からなる滑り止め機能を有するラッセルレース（１０）を周回状に配設し、該滑り止め機能のループ状のパイル（１６）を有するラッセルレース（１０）から突出する複数のループ状のパイル（１６）の傾斜方向の向きを腰部（２）の側である上方に向けて係合状態とし、該複数のループ状のパイル（１６）の係合力により、該ラッセルレース（１０）より上部のＢ部の身体の部分を常に上方へ押し上げ、さらに滑り止め機能付き伸縮性細幅ラッセルレース（１５）のループ状のパイル（１６）を有するラッセルレース（１２）を後部（１ｂ）の内股下部の裾部（１１）の左右の縫い代部（１３）から前部（１ａ）の大腿部（９）を斜め上方に横切って、さらに後部（１ｂ）の大腿部（９）の脇側から尾骨部（７）の直下のマチ布（８）の上方の中央の縫い代部（１３）に配設し、該ラッセルレース（１２）から突出する複数のループ状のパイル（１６）の傾斜方向の向きを上方に向けて係合状態とし、これらの複数のループ状のパイル（１６）の係合力により、該ロングガードル（１）のラッセルレース（１２）より上部の大腿部（９）の筋肉を常に上方へ持ち上げ、これらにより下腹部（３）と臀部（４）および大腿部（９）の筋肉をシェイプアップすることを特徴とするパンティータイプのロングガードル（１）。
【考案の詳細な説明】
【技術分野】
【０００１】
この考案は女性の下腹部および臀部をシェイプアップして補整する機能を有する素材を組み合わせたパンティータイプのロングガードルに関する。
【背景技術】
【０００２】
従来の女性用のパンティータイプのガードルは、女性の下腹部および臀部をシェイプアップして補整するために、伸縮性のポリウレタン系の弾性糸（すなわち、商品名スパンデックス）を、下腹部および臀部の必要箇所に帯状に配設して、その部分を伸縮させて、下腹部および臀部の筋肉に伸縮による引張り力を与えて、それらの筋肉を運動による伸びに抗するものとしている。これらには各種のトレーニングウエアーとして広く市販されている。
【０００３】
一方、出産により体型が変化して膨出した腹周り全体から大腿部にかけて下半身全体を補整すると共に、背中側にも拘束力を与えて腰痛防止機能を付与するものが提案されている（例えば、特許文献１参照。）。
【０００４】
また、腹部を押さえ込むガードル機能を有し、上部骨盤と下部骨盤を有効的に緊く締めることにより、腰痛、肩こり、内臓機能低下などの症状の治療と予防に効果を発揮し、違和感無く常時着用できる補整機能と矯正機能を兼備したサポートガードルが提案されている（例えば、特許文献２参照。）。
【０００５】
さらに、ウエアーの着用により、身体の筋活動に変化を与え、姿勢を制御する補整機能を持ち合わせ、腰痛を防止し、身体の筋活動および姿勢を改善し、腰痛を緩和する効果の期待できるパンツ形状を有するウエアーが提案されている（例えば、特許文献３参照。）。しかし、これらの特許文献１〜３に示されるものは、いずれもパワーネットなどの引張り力で身体の要所を拘束するものであった。
【０００６】
例えばストッキングの大腿部側の部分に従来のレースを使用すると、縮む力が弱いこのレースでは筋肉を上方へ持ち上げる力が弱かった。この場合レースの部分の裏側に滑り止め樹脂を帯状に接着した商品が開発されているが、これは樹脂の感触に違和感を唱える人や、かぶれを起す人の苦情が多く、また、洗濯するに連れてこのレースの滑り止め効果が落ち、コスト高になる不利があった。この従来の力の弱いレースの問題を解決したものとして、滑り止め機能付き伸縮性細幅ラッセルレースが提案された（特許文献４参照。）。
【先行技術文献】
【特許文献】
【０００７】
【特許文献１】実開平７−６２１３号公報
【特許文献２】実用新案登録第３１０２７４２号公報
【特許文献３】特許第４０２４２８７号公報
【特許文献４】特許第４０５６２１９号公報
【考案の概要】
【考案が解決しようとする課題】
【０００８】
本考案が解決しようとする課題は、従来の女性の臀部および下腹部をシェイプアップして補整する機能を有する素材を組み合わせたパンティータイプのロングガードルに代え、滑り止め機能付き伸縮性細幅ラッセルレースの滑り止め機能のあるパイルの向きを適正な向きに配設し、これを着用することにより下腹部や臀部および大腿部をシェイプアップできるパンティータイプのロングガードルを提供することである。
【課題を解決するための手段】
【０００９】
上記の課題を解決するための本考案の手段は、請求項１の考案では、伸縮性のポリウレタン系の弾性糸の編物からなるロングガードル１の、図２に示す、後部１ｂの内面の臀部４の周囲に、腰部２の両サイドから中心の尾骨部７にかけて、図３に示す、複数のループ状のパイル１６を有する滑り止め機能付き伸縮性細幅ラッセルレース１５からなるＵ字状のラッセルレース５を配設し、このＵ字状のラッセルレース５から突出する複数のループ状のパイル１６の傾斜方向の向きを、図２に示す、Ｕ字状に配設のラッセルレース５の臀部４の中心部６に向けて係合状態とし、これらの複数のループ状のパイル１６の係合力により、該Ｕ字状のラッセルレース５で取り囲まれた内側の臀部４を常に臀部４の中心部６から外側への拡大を阻止する。さらにロングガードル１の、図１に示す、前部１ａの内面の股上の部分である下腹部３のＡ部の両サイドの縫い代部１３から側部を経て後部１ｂの臀部４のＢ部の下部のマチ布８の両側直下の大腿部９の上部の縫い代部１３に、複数のループ状のパイル１６の滑り止め機能付き伸縮性細幅ラッセルレース１５からなる滑り止め機能を有するラッセルレース１０を周回状に配設し、この滑り止め機能のループ状のパイル１６を有するラッセルレース１０から突出する複数のループ状のパイル１６の傾斜方向の向きを腰部２の側である上方に向けて係合状態とし、これらの複数のループ状のパイル１６の係合力により、このラッセルレース１０より上部のＢ部の身体の部分を常に上方へ押し上げる。さらに、滑り止め機能付き伸縮性細幅ラッセルレース１５のループ状のパイル１６を有するラッセルレース１２を、図２に示す、後部１ｂの内股下部の裾部１１の左右の縫い代部１３から、図１に示す、前部１ａの大腿部９を斜め上方に横切って、さらに、図２に示す、後部１ｂの大腿部９の脇側から尾骨部７の直下のマチ布８の上方の中心の縫い代部１３に配設し、このラッセルレース１２から突出する複数のループ状のパイル１６の傾斜方向の向きを上方に向けて係合状態とし、これらの複数のループ状のパイル１６の係合力により、このロングガードル１のラッセルレース１２より上部の大腿部９の筋肉を常に上方へ持ち上げる。本願の請求項１に係る考案は、以上の作用により、身体の下腹部３と臀部４および大腿部９の部分をシェイプアップすることを特徴とするパンティータイプのロングガードル１である。
【考案の効果】
【００１０】
本考案のパンティータイプのロングガードルは、生地を伸縮性のポリウレタン系の弾性糸の編物から形成しているのみでなく、ループ状のパイルを一定方向に配設して有する滑り止め機能付き伸縮性細幅ラッセルレースを、身体の臀部や大腿部の形状をシェイプアップして補整すべき箇所に、そのループ状のパイルの傾斜方向の向きを考慮して配設することで、臀部の形状が外側に広がることを阻止して中心に寄せ、かつ持ち上げ、臀部が下方へ垂れ下ることを解消することで、下腹部および臀部から大腿部にかけての形状をシェイプアップして補整する作用を有する。
【図面の簡単な説明】
【００１１】
【図１】本考案のパンティータイプのロングガードルの前部を示す図である。
【図２】本考案のパンティータイプのロングガードルの後部を示す図である。
【図３】本考案で使用するループ状のパイルが同一方向に向いている形状の滑り止め機能付き伸縮性細幅ラッセルレースの模式図である。
【考案を実施するための形態】
【００１２】
本考案のパンティータイプのロングガードル１の、図１に示す、前部１ａの下腹部３を有する正面のＡ部と、この正面のＡ部の両側から、図２に示す、後部１ｂのＵ字状のラッセルレース５の周辺部まで続くＢ部と、正面のＡ部の下側のマチ布８の部分であるＣ部とからなる部分は、パワーネットの２重の編地から形成されており、これらの２重の編地から、補整機能を基本的に有する、ロングガードル１が形成されている。さらに、このロングガードル１は滑り止め機能付き伸縮性細幅ラッセルレース１５から形成されたロングガードル１の後部のＵ字状に配設するラッセルレース５およびその下部から前部１ａに配設のラッセルレース１０の２種類を有する。
【００１３】
これらの２種類のラッセルレース５およびラッセルレース１０の第１の作用は、図２に示す、後部１ｂのＵ字状に配設されたラッセルレース５の作用である。このＵ字状に配設されたラッセルレース５はそのＵ字状の内部であるＡ部に臀部４の大部分を有してＵ字状の外部であるＢ部との境界を形成している。このＵ字状に配設されたラッセルレース５から斜めに突出する、図３に示す、滑り止め機能付き伸縮性細幅ラッセルレース１５の複数のループ状のパイル１６からなる、パイルの傾斜方向の向きは、Ｕ字状配設されたラッセルレース５の左右の中心の縫い代部１３からなる緊縮部１４の中心部６に向いており、これらの複数のパイルの係合力により臀部４をこの中心部６の方向に縮小させる作用をしている。
【００１４】
さらに、これらの２種類のラッセルレース５およびラッセルレース１０の第２の作用は、図１のロングガードル１の前部１ａと図２のロングガードル１の後部１ｂの、図１および図２に示されている、Ｂ部の下側のラッセルレース１０の作用である。このラッセルレース１０から斜めになって突出する、図３に示す、滑り止め機能付き伸縮性細幅ラッセルレース１５の複数のループ状のパイル１６からなる、パイルの傾斜方向の向きは、ロングガードル１の裾部と反対方向の上部に向いており、上記のＵ字状のラッセルレース５の左右の中心の縫い代部１３からなる緊縮部１４の中心部６に向いて臀部４を中心部６の方向に縮小させる作用に加勢して、臀部４の下部を上方へ持ち上げる作用をしている。
【００１５】
また、さらに、ラッセルレース１２は、ロングガードル１の図２に示す後部１ｂの内股下部の裾部１１の左右の縫い代部１３の箇所から図１に示す前部１ａの大腿部９の部分を斜め上方に横切り、さらに図２に示す大腿部９の脇側の部分からラッセルレース１０を斜め上方に横切って、臀部４のＢ部の尾骨部７の直ぐ下のマチ布８の上方の縫い代部１３にいたっている。この左右のラッセルレース１２の作用は、図３に示す、滑り止め機能付き伸縮性細幅ラッセルレース１５の複数のループ状のパイル１６からなる、パイルの傾斜方向の向きは、ロングガードル１の裾部と反対方向の上部に向いているので、上記のラッセルレース５およびラッセルレース１０の第１およびだ２の作用に加えて、ロングガードル１をはいたその大腿部９の前部１ａの部分か後部１ｂの大腿部９の部分を尾骨部７までに配設されたラッセルレース１２の上向きの複数のパイル１６により、これらと当接する筋肉を上方に持ち上げる作用をすることで、下腹部３および臀部４をシェイプアップして補整をする作用をしている。
【符号の説明】
【００１６】
１  ロングガードル
１ａ  前部
１ｂ  後部
２  腰部
３  下腹部
４  臀部
５  ラッセルレース
６  中心部
７  尾骨部
８  マチ布
９  大腿部
１０  ラッセルレース
１１  裾部
１２  ラッセルレース
１３  縫い代部
１４  緊縮部
１５  滑り止め機能付き伸縮性細幅ラッセルレース
１６  ループ状のパイル
【図１】
0003171827.tif 000003
【図２】
0003171827.tif 000004
【図３】
0003171827.tif 000005